(57)【要約】【課題】額を連結することや、磁石による金属部への貼付、立て掛ける方法、壁掛けできるなど、多様に展示方法がきる額（フレーム）を提供する。【解決手段】本発明は、写真、絵画等を展示する額（フレーム）の背面に磁石を設け、また額（フレーム）の背面の外周、天地左右に外側挿入孔、内側挿入孔を設け、他の額（フレーム）と額を連結する祭の外側挿入孔、内側挿入孔の連結する位置間隔で連結部材に止め部を設けられたことにより額を連結することや、磁石による金属部への貼付、額（フレーム）の背面の下方の外側挿入孔に連結部材を装着することで立て掛ける方法、額（フレーム）の背面の上方の外側挿入孔に連結部材を装着することで台掛けできる方法と、額（フレーム）の背面の上方の外側挿入孔と内側挿入孔に連結部材からなる止め部を外側挿入孔と内側挿入孔に挿入し、連結部材からの画鋲を止める穴により額を壁止めできる展示方法など、展示方法が多様な額（フレーム）提供することで課題を解決する手段として発明されたものである。【選択図】　　図２
2004073796.tif 000002
【特許請求の範囲】
【請求項１】
外周部の上下あるいは左右少なくともどちらか一方に任意の厚みよりなる固定部を有するフレーム体と、固定部の外周位置に設けられた外側挿入孔と、固定部の外側挿入孔から中心方向にずれた位置に設けられた内側挿入孔とよりなる展示フレームと、遊端が前記外側挿入孔あるいは内側挿入孔に挿入できる形状である基材と、該基材の多端付近に交差する方向に設けられ前記外側挿入孔、内側挿入孔どちらか一方に挿入される第一挿入片と、他方の挿入孔に挿入される第二挿入片とよりなる連結部材とより構成され、前記基材は展示フレームを上下あるいは左右に併設した状態で隣接する外側挿入孔に第一挿入片、第二挿入片を挿入することにより連結可能となるものであることを特徴とする連結式フレームセット。
【請求項２】
基材にフック用穴を設けたことを特徴とする請求項１記載の連結式フレームセット。
【発明の詳細な説明】
【０００１】
【考案の属する技術分野】
本発明は、写真、絵画等を展示する額に関するものである。
【０００２】
【従来の技術】
従来、写真、絵画等を展示する額、フォトスタンド等は立て掛ける方法や壁掛けの方法のいずれかの限定された方法で展示され、額を連結することや、磁石による金属部への貼付、立て掛ける方法、台掛ける方法壁掛けできるなどあらゆる展示方法ができる額（フレーム）は既存しなかった。
【０００３】
【発明が解決しようする課題】
本発明は、写真、絵画等を展示する額（フレーム）の背面に磁石を設け、また額（フレーム）の背面の外周、天地左右に外側挿入孔、内側挿入孔を設け、他の額（フレーム）と額を連結する祭の外側挿入孔、内側挿入孔の連結する位置間隔で連結部材に止め部を設けられたことにより額を連結することが可能となり、磁石による金属部への貼付、額（フレーム）の背面の下方の外側挿入孔に連結部材を装着することで立て掛ける方法、額（フレーム）の背面の上方の外側挿入孔に連結部材を装着することで台掛けできる方法と、額（フレーム）の背面の上方の外側挿入孔と内側挿入孔に連結部材からなる止め部を外側挿入孔と内側挿入孔に挿入し、連結部材からの画鋲を止める穴により額を壁止めできる展示方法など、展示方法が多様な額（フレーム）提供することで課題を解決する手段として発明されたものである。
上記の欠点を解消することを目的とするものである。
【０００４】
【課題を解決するための手段】
本発明は、額（フレーム）裏面（２０）の外周部の上下あるいは左右少なくともどちらか一方に任意の厚みよりなる固定部を有するフレーム体と、固定部の外周位置に設けられた外側、止め溝Ａ（２０１）と、固定部の外側挿入孔から中心方向にずれた位置に設けられた内側、止め溝Ｂ（２０２）とよりなる展示フレームと、遊端が前記止め溝Ａ（２０１）あるいは止め溝Ｂ（２０２）に挿入できる形状である基材と、該基材の多端付近に交差する方向に設けられ前記止め溝Ａ（２０１）、止め溝Ｂ（２０２）どちらか一方に挿入される止め部Ａ（３０１）と、他方の挿入孔に挿入される止め部Ｂ（３０２）とよりなる連結部材（３０）とより構成され、前記基材は展示フレームを上下あるいは左右に併設した状態で隣接する止め溝Ａ（２０１）に止め部Ａ（３０１）、止め溝Ｂ（２０２）に止め部Ｂ（３０２）を挿入することにより連結可能となるものであることを特徴とする連結式フレームセットを提供する。
以上、課題を解決する手段として発明されたものである。
【０００５】
【発明の実施の形態】
以下、本発明の実施の形態について図をもって説明する。
図１に示されているのは、本発明の額（フレーム）正面（１０）の図であり、額内入れ物（１０１）に写真、絵画等が入れられた状態の図を示している。
図２は額（フレーム）裏面（２０）を示したもので、額（フレーム）裏面（２０）の外周部の天地、左右の上方に止め溝Ｂ（２０２）下方に止め溝Ａ（２０１）がそれぞれに設けられ、背面板（２０３）にて額内入れ物（１０）が固定され、背面板（２０３）に磁石（２０４）が装着されている。
図３は額（フレーム）本体の断面からの構成図で、額（フレーム）本体に写真、絵画等の額内入れ物（１０１）が装着され、背面板（２０３）にて固定され、背面板（２０３）に磁石（２０４）が装着される状態の分解構成図が示されている。
図４に示されているのは、図３からなる構成の額（フレーム）本体に額内入れ物（１０）背面板（２０３）、磁石（２０４）が装着される状態の構成図が示されている。
図５は、本発明の額（フレーム）を立て掛ける方法、台掛けできる方法、画鋲を止めによる壁止めや額を連結すなど、展示において使用される連結部材（３０）の構成図が示され、この連結部材（３０）に画鋲止め穴（３０３）が設けられ、その多端及び止め部Ａ（３０１）、止め部Ｂ（３０２）は額本体背面の止め溝Ａ（２０１）、止め溝Ｂ（２０２）にいずれも挿入できる形状である。
図６は、連結部材（３０）の構成断面図である。
図７は、額（フレーム）本体を立て掛ける方法として使用される状態の図で、額（フレーム）本体裏面（２０）の外周部の下方下部の止め溝Ａ（２０１）に連結部材（３０）の端部を装着する状態を示した図である。
図８は、図７によって額（フレーム）本体裏面（２０）の外周部の下方下部の止め溝Ａ（２０１）に連結部材（３０）を装着し、額（フレーム）本体を立て掛ける方法としての実施を示した図である。
図９は、額（フレーム）本体を台掛けできる方法として使用される状態の図で、額（フレーム）本体裏面（２０）の外周部の上方上部の止め溝Ａ（２０１）に連結部材（３０）の端部を装着する状態をを示した図である。
図１０は、図９によって額（フレーム）本体裏面（２０）の外周部の上方上部の止め溝Ａ（２０１）に連結部材（３０）の端部を装着し、額（フレーム）本体を台掛けできる方法としての実施を示した図である。
図１１は、額（フレーム）本体を画鋲を止めによる壁止方法として使用される状態の図で、額（フレーム）本体裏面（２０）の外周部の上方上部の止め溝Ａ（２０１）に連結部材（３０）に設けられた止め部Ｂ（３０２）、止め溝Ｂ（２０２）に止め部Ａ（３０１）を装着する状態をを示した図である。
図１２は、図１１によって額（フレーム）本体裏面（２０）の外周部の上方上部の溝Ａ（２０１）止め溝Ｂ（２０２）に連結部材（３０）の止め部Ｂ（３０２）、止め部Ａ（３０１）を装着し連結部材（３０）に設けられた画鋲穴止め（３０３）に画鋲（５０）にて壁止できる方法としての実施を示した図である。
図１３は、額を連結する方法として使用される状態の図で、額を上下に連結すべく上方の額（フレーム）本体裏面（２０）の外周部の下方下部の止め溝Ａ（２０１）、下方の額（フレーム）本体裏面（２０）の外周部の下方下部の止め溝Ａ（２０１）、に連結部材（３０）の止め部Ａ（３０１）、止め部Ｂ（３０２）を装着し連結をおこなう状態を示した図である。
図１４は、任意の額の個数と任意方向に、額を連結した状態をを示した図である。
以上からなる構成で本発明の連結式フレームセットは以下のように使用される。本発明の連結式フレームセットは、従来、写真、絵画等を展示する額、フォトスタンド等は立て掛ける方法や壁掛けの方法のいずれかの限定された方法で展示されるものであったが、本発明により以下に示す方法により多様な展示方法を可能とした。
１、額（フレーム）裏面（２０）に額内入れ物（１０１）に写真、絵画等が入れられ背面板（２０３）にて固定され、背面板（２０３）に磁石（２０４）が装着されていることで、金属部への貼付が可能となる。これは、冷蔵庫や机などの磁石の装着が可能な場所に額の貼付が可能となる。
２、図７に示すよう、額（フレーム）本体裏面（２０）の外周部の下方下部の止め溝Ａ（２０１）に連結部材（３０）の端部を装着することで、図８に示すよう額（フレーム）本体を立て掛ける方法が可能となる。
３、図９に示すよう、額（フレーム）本体裏面（２０）の外周部の上方上部の止め溝Ａ（２０１）に連結部材（３０）の端部を装着することで、図１０に示すよう額（フレーム）本体を台掛けできる方法が可能となる。
４、図１１に示すよう、額（フレーム）本体裏面（２０）の外周部の上方上部の溝Ａ（２０１）止め溝Ｂ（２０２）に連結部材（３０）の止め部Ｂ（３０２）、止め部Ａ（３０１）を装着し連結部材（３０）に設けられた画鋲穴止め（３０３）に画鋲（５０）にて、図１２に示すよう額（フレーム）本体を壁止できることが可能となる。
５、図１３に示すよう、額を上下に連結すべく上方の額（フレーム）本体裏面（２０）の外周部の下方下部の止め溝Ａ（２０１）、下方の額（フレーム）本体裏面（２０）の外周部の下方下部の止め溝Ａ（２０１）、に連結部材（３０）の止め部Ａ（３０１）、止め部Ｂ（３０２）を装着し連結することが可能となる。
額の連結は図１４に示すよう、任意の額の個数と任意方向に額を連結することが可能とされる。
以上から、額を連結することや、磁石による金属部への貼付、立て掛ける方法、台掛ける方法壁掛けできるなど展示の目的や状況に対応して額が使用される。
【０００６】
【発明の効果】
本発明の連結式フレームセットは、額（フレーム）裏面（２０）本体の背面板（２０３）に磁石（２０４）が装着されていることで、金属部への貼付が可能となり、冷蔵庫や机などの磁石の装着が可能な場所に額の貼付が可能となる。
図７に示すよう、額（フレーム）本体裏面（２０）の外周部の下方下部の止め溝Ａ（２０１）に連結部材（３０）の端部を装着することで、図８に示すよう額（フレーム）本体を立て掛ける方法が可能となる。
図９に示すよう、額（フレーム）本体裏面（２０）の外周部の上方上部の止め溝Ａ（２０１）に連結部材（３０）の端部を装着することで、図１０に示すよう額（フレーム）本体を台掛けできる方法が可能となる。
図１１に示すよう、額（フレーム）本体裏面（２０）の外周部の上方上部の溝Ａ（２０１）止め溝Ｂ（２０２）に連結部材（３０）の止め部Ｂ（３０２）、止め部Ａ（３０１）を装着し連結部材（３０）に設けられた画鋲穴止め（３０３）に画鋲（５０）にて、図１２に示すよう額（フレーム）本体を壁止できることが可能となる。
図１３に示すよう、額を上下に連結すべく上方の額（フレーム）本体裏面（２０）の外周部の下方下部の止め溝Ａ（２０１）、下方の額（フレーム）本体裏面（２０）の外周部の下方下部の止め溝Ａ（２０１）、に連結部材（３０）の止め部Ａ（３０１）、止め部Ｂ（３０２）を装着し連結することが可能となり、額の連結は図１４に示すよう、任意の額の個数と任意方向に額を連結することが可能とされる。
以上のような本発明の連結式フレームセットの効果により、額を連結することや、磁石による金属部への貼付、立て掛ける方法、台掛ける方法壁掛けできるなどあらゆる展示方法の効果により、限定される展示場所や、展示の目的に対応して額が使用できる。
また、額を連結できることで額の内容における収集性が生まれ、あらゆる額の内容を提供することができる。
以上、発明の効果が発揮される。
【図面の簡単な説明】
【図１】本発明の本体の表面を示した図である。
【図２】本発明の本体の裏面を示した図である。
【図３】本発明の断面からの分離構成を示した図である。
【図４】本発明の断面構成を示した図である。
【図５】本発明の本体に装着及び連結に使用する接続部材を示した図である。
【図６】本発明の本体に装着及び連結に使用する接続部材の断面を示した図である。
【図７】本発明の本体に連結部材を装着し、連結部材により立て掛け方法に使用される本体装着状態を示した図である。
【図８】本発明の本体に装着された連結部材による、立て掛け方法の実施を示した図である。
【図９】本発明の本体に連結部材を装着し、連結部材により壁掛け方法にに使用される本体装着状態を示した図である。
【図１０】本発明の本体に装着された連結部材による、壁掛け方法の実施を示した図である。
【図１１】本発明の本体に連結部材を装着し、画鋲による壁掛け方法に使用される本体装着状態を示した図である。
【図１２】本発明の本体に連結部材を装着し、画鋲による壁掛け方法の実施を示した図である。
【図１３】本発明の本体に連結部材を装着し、他の本体と連結する方法に使用される本体装着状態を示した図である。
【図１４】本発明の本体に連結部材を装着し、他の本体と連結する方法の実施を示した図である。
【符号の説明】
１０：額（フレーム）表面
１０１：額内入れ物
２０：額（フレーム）裏面
２０１：止め溝Ａ
２０２：止め溝Ｂ
２０３：背面板
２０４：磁石
３０：連結部材
３０１：止め部Ａ
３０２：止め部Ｂ
３０３：画鋲止め穴
４０：台
５０：画鋲
【図１】
2004073796.tif 000003
【図２】
2004073796.tif 000004
【図３】
2004073796.tif 000005
【図４】
2004073796.tif 000006
【図５】
2004073796.tif 000007
【図６】
2004073796.tif 000008
【図７】
2004073796.tif 000009
【図８】
2004073796.tif 000010
【図９】
2004073796.tif 000011
【図１０】
2004073796.tif 000012
【図１１】
2004073796.tif 000013
【図１２】
2004073796.tif 000014
【図１３】
2004073796.tif 000015
【図１４】
2004073796.tif 000016